【手続補正書】
【提出日】平成15年11月5日(2003.11.5)
【手続補正１】
【補正対象書類名】明細書
【補正対象項目名】特許請求の範囲
【補正方法】変更
【補正の内容】
【特許請求の範囲】
【請求項１】
水平偏向コイル、垂直偏向コイル及び環状のコアを備えた偏向ヨークにおいて、前記水平偏向コイル及び前記垂直偏向コイルの後部側に速度変調コイルを備え、前記速度変調コイルは、速度変調コイル形成用ボビンに巻線され、該ボビンは該ボビンが取り付けられる成型品とは別部品で構成されていることを特徴とする偏向ヨーク。
【請求項２】
前記速度変調コイル形成用ボビンは、偏向ヨークをブラウン管に保持固定するためのネックバンドの取り付け部に設置され、前記ネックバンドは、速度変調コイル形成用ボビンの内側に設置されることを特徴とする請求項１記載の偏向ヨーク。
【請求項３】
前記速度変調コイル形成用ボビンは、内周面にネックバンドの回転を規制する突起を備えたことを特徴とする請求項１又は２の何れかに記載の偏向ヨーク。
【請求項４】
前記速度変調コイル形成用ボビンは、２分割で構成されることを特徴とする請求項１、２又は３の何れかに記載の偏向ヨーク。
【請求項５】
前記２分割で構成される速度変調コイル形成用ボビンは、対をなすボビンとの接合部分に絶縁壁を設けたことを特徴とする請求項４記載の偏向ヨーク。
【請求項６】
ネックバンド付近に磁心が導体で構成された補助コイルを更に備え、前記補助コイルの磁心を収納する収納部を速度変調コイル形成用ボビンに設けて、該補助コイルの磁心と前記ネックバンドとの間に所定の絶縁沿面距離を設けたことを特徴とする請求項２記載の偏向ヨーク。
【請求項７】
ネックバンド付近に磁心が導体で構成された補助コイルを更に備え、前記補助コイルの磁心を収納する収納部を速度変調コイル形成用ボビンに設けて、該補助コイルの磁心と前記速度変調コイルとの間に所定の絶縁沿面距離を確保したことを特徴とする請求項２記載の偏向ヨーク。
【手続補正２】
【補正対象書類名】明細書
【補正対象項目名】００１１
【補正方法】変更
【補正の内容】
【００１１】
また、速度変調コイルが、速度変調コイル形成用ボビンに巻線され、該ボビンは該ボビンが取り付けられる成型品とは別部品で構成されていることを特徴とするものである。


【手続補正３】
【補正対象書類名】明細書
【補正対象項目名】００１２
【補正方法】変更
【補正の内容】
【００１２】
請求項２に係る偏向ヨークは、速度変調コイル形成用ボビンが、偏向ヨークをブラウン管に保持固定するためのネックバンドの取り付け部に設置され、ネックバンドは、速度変調コイル形成用ボビンの内側に設置されることを特徴とするものである。


【手続補正４】
【補正対象書類名】明細書
【補正対象項目名】００１３
【補正方法】変更
【補正の内容】
【００１３】
請求項３に係る偏向ヨークは、速度変調コイル形成用ボビンが、内周面にネックバンドの回転を規制する突起を備えたことを特徴とするものである。


【手続補正５】
【補正対象書類名】明細書
【補正対象項目名】００１４
【補正方法】変更
【補正の内容】
【００１４】
請求項４に係る偏向ヨークは、速度変調コイル形成用ボビンが、２分割で構成されることを特徴とするものである。


【手続補正６】
【補正対象書類名】明細書
【補正対象項目名】００１５
【補正方法】変更
【補正の内容】
【００１５】
請求項５に係る偏向ヨークは、２分割で構成される速度変調コイル形成用ボビンが、対をなすボビンとの接合部分に絶縁壁を設けたことを特徴とするものである。


【手続補正７】
【補正対象書類名】明細書
【補正対象項目名】００１６
【補正方法】変更
【補正の内容】
【００１６】
請求項６に係る偏向ヨークは、ネックバンド付近に磁心が導体で構成された補助コイルを更に備え、補助コイルの磁心を収納する収納部を速度変調コイル形成用ボビンに設けて、該補助コイルの磁心とネックバンドとの間に所定の絶縁沿面距離を設けたことを特徴とするものである。


【手続補正８】
【補正対象書類名】明細書
【補正対象項目名】００１７
【補正方法】変更
【補正の内容】
【００１７】
請求項７に係る偏向ヨークは、ネックバンド付近に磁心が導体で構成された補助コイルを更に備え、補助コイルの磁心を収納する収納部を速度変調コイル形成用ボビンに設けて、該補助コイルの磁心と速度変調コイルとの間に所定の絶縁沿面距離を確保したことを特徴とするものである。


【手続補正９】
【補正対象書類名】明細書
【補正対象項目名】００５５
【補正方法】変更
【補正の内容】
【００５５】
また、偏向ヨークに取り付けられた速度変調コイルは、速度変調コイル形成用ボビンに巻線され、該ボビンは該ボビンが取り付けられる成型品とは別部品で構成されているので、速度変調コイルの巻線がしやすく、自動巻線等の製造合理化を推進することができる。


【手続補正１０】
【補正対象書類名】明細書
【補正対象項目名】００５６
【補正方法】変更
【補正の内容】
【００５６】
請求項２に係る偏向ヨークでは、速度変調コイル形成用ボビンは、偏向ヨークをブラウン管に保持固定するためのネックバンドの取り付け部に設置され、上記ネックバンドは速度変調コイル形成用ボビンの内側に設置されるように構成したので、偏向ヨークの全長をほとんど長くすることなくスペース効率を高めることができ、ブラウン管の全長短縮効果を損なうことはない。また、速度変調コイル形成用ボビンはネックバンドの外側に設置されるのでネックバンドを従来品と同じものが使用でき、また取付強度も従来と同じものが得られる。


【手続補正１１】
【補正対象書類名】明細書
【補正対象項目名】００５７
【補正方法】変更
【補正の内容】
【００５７】
請求項３に係る偏向ヨークでは、速度変調コイル形成用ボビンは、内周面にネックバンドの回転を規制する突起を備えて構成したので、ネックバンドを内側に備えた速度変調コイルを製作した後、それを偏向ヨークのネック側成型品に取り付けるという方法が簡単に行えるため偏向ヨーク組立が効率よく行えるとともに、ネックバンドの回転を規制することができる。


【手続補正１２】
【補正対象書類名】明細書
【補正対象項目名】００５８
【補正方法】変更
【補正の内容】
【００５８】
請求項４に係る偏向ヨークでは、速度変調コイル形成用ボビンは、２分割で構成したので、速度変調コイルの巻線がしやすく、自動巻線及び高速巻線等の製造合理化を推進することができる。


【手続補正１３】
【補正対象書類名】明細書
【補正対象項目名】００５９
【補正方法】変更
【補正の内容】
【００５９】
請求項５に係る偏向ヨークでは、２分割で構成される速度変調コイル形成用ボビンは、対をなすボビンとの接合部分に絶縁壁を設けたので、ネックバンドがブラウン管の高電圧に帯電した場合でも、速度変調コイルとの絶縁距離が保たれるため、ネックバンドから速度変調コイルに放電することが無く、放電による回路への悪影響を抑えることができる。


【手続補正１４】
【補正対象書類名】明細書
【補正対象項目名】００６０
【補正方法】変更
【補正の内容】
【００６０】
請求項６に係る偏向ヨークでは、ネックバンド付近に磁心が導体で構成された補助コイルを更に備え、該補助コイルの磁心を収納する収納部を速度変調コイル形成用ボビンに設けて、該補助コイルの磁心とネックバンドの間に絶縁に必要な沿面距離を確保したので、ネックバンドがブラウン管の高電圧に帯電した場合でも、ネックバンドから補助コイルの磁心に放電することが無く、放電による回路への悪影響を抑えることが可能となる。


【手続補正１５】
【補正対象書類名】明細書
【補正対象項目名】００６１
【補正方法】変更
【補正の内容】
【００６１】
請求項７に係る偏向ヨークでは、ネックバンド付近に磁心が導体で構成された補助コイルを更に備え、補助コイルの磁心を収納する収納部を速度変調コイル形成用ボビンに設けて、該補助コイルの磁心と速度変調コイルとの間に所定の絶縁沿面距離を確保したので、ネックバンドがブラウン管の高電圧に帯電した場合でも、ネックバンドから速度変調コイルに放電することが無く、放電による回路への悪影響を抑えることが可能となる。